(57)【要約】【課題】  本発明は、貼付テープを貼付対象面の目標箇所に合わせて容易に貼り付け得るようにする。【解決手段】  テープ貼付器１に、作業者に掴ませ得るケース２と、当該ケース２に設けられ、養生テープ５が回巻された養生テープロール３を回転自在に軸支する回転軸２Ｅと、ケース２の下端に回転軸２Ｅに対して略平行であり貼付対象面に当接する後押付部２Ｃ１及び当該後押付部２Ｃ１から離隔した前押付部２Ｄ１とを設け、後押付部２Ｃ１は、テープ貼付器１が前方向へ移動される際、作業者からケース２を掴む際に加えられた力により、養生テープロール３から引き出された養生テープ５を貼付対象面に押し付けて貼り付け、前押付部２Ｄ１は、作業者から加えられた力を利用して貼付対象面に当接した状態を維持することによって回転軸２Ｅ及び後押付部２Ｃ１と貼付対象面とをほぼ平行な状態に維持するようにした。【選択図】        図１
2006214099.tif 000002
【特許請求の範囲】
【請求項１】
貼付テープを所定の貼付対象面に貼り付けるテープ貼付器であって、
作業者に掴ませる筐体部と、
上記筐体部に設けられ、上記貼付テープが回巻された貼付テープロールを回転自在に軸支する軸支手段と、
上記筐体部の下端に上記貼付テープロールの回転軸に対してほぼ平行となるように設けられ、上記貼付テープの幅よりも大きい当接幅を有し、上記貼付対象面に当接する第１当接手段と、
上記筐体部の上記第１押付手段から離隔した下端に上記貼付テープロールの回転軸に対してほぼ平行となるように設けられ、上記貼付テープの幅よりも大きい当接幅を有し、上記貼付対象面に当接する第２当接手段と
を具え、
上記第１当接手段は、
上記テープ貼付器が上記貼付テープロールの回転軸に対してほぼ垂直をなす所定の第１進行方向へ移動される際、上記作業者から上記筐体部を掴まれる際に加えられた力を利用して所定の第１回転方向に軸支された当該貼付テープロールから引き出された貼付テープを上記貼付対象面に押し付けることにより貼り付け、
上記第２当接手段は、
上記テープ貼付器が上記第１進行方向へ移動される際、上記作業者から上記筐体部を掴まれる際に加えられた力を利用して上記貼付対象面に当接した状態を維持することによって上記貼付テープロールの回転軸及び上記第１当接手段を上記貼付対象面に対してほぼ平行に維持する
ことを特徴とするテープ貼付器。
【請求項２】
上記第２当接手段は、
上記テープ貼付器が上記第１進行方向と反対の第２進行方向へ移動される際、上記作業者から上記筐体部を掴まれる際に加えられた力を利用して上記第１回転方向と反対の第２回転方向に軸支された当該貼付テープロールから引き出された貼付テープを上記貼付対象面に押し付けることにより貼り付け、
上記第１当接手段は、
上記テープ貼付器が上記第２進行方向へ移動される際、上記作業者から上記筐体部を掴まれる際に加えられた力を利用して上記貼付対象面に当接した状態を維持することによって上記貼付テープロールの回転軸及び上記第２当接手段の上記貼付対象面に対してほぼ平行に維持する
ことを特徴とする請求項１に記載のテープ貼付器。
【請求項３】
上記貼付テープロールにおける一方の側面から外側に突出し、当該一方の側面からの外側間隔を維持する外側間隔維持手段と、
上記外側間隔を調整する外側間隔調整手段と
を具えることを特徴とする請求項１に記載のテープ貼付器。
【請求項４】
上記貼付テープロールにおける一方の側面の内側に設けられ、当該貼付テープロールにおける一方の側面と上記筐体部における一方の側面との内側間隔を維持する内側間隔維持手段と、
上記内側間隔を調整する内側間隔調整手段と
を具えることを特徴とする請求項１に記載のテープ貼付器。
【請求項５】
上記筐体部における一方の側面よりも内側に設けられ、上記貼付対象面よりも上記軸支手段の反対側に突出することにより上記貼付対象面の側面に当接する突出当接手段と、
上記突出当接手段の側面と上記貼付テープロールにおける一方の側面との間隔を所定間隔に維持する突出当接間隔維持手段と
を具えることを特徴とする請求項１に記載のテープ貼付器。
【発明の詳細な説明】
【技術分野】
【０００１】
本発明はテープ貼付器に関し、例えば養生テープを貼付対象面に貼付作業する際に適用して好適なものである。
【背景技術】
【０００２】
従来、例えば建築現場等で左官職人がコンクリートを壁面に塗る作業を行う前に、当該壁面と隣接する他の壁面を養生テープ等で保護することにより、当該他の壁面に当該コンクリートを不用意に付着させないようにする必要があった。
【０００３】
この場合、当該養生テープの貼付作業を行う作業者は、当該他の壁面を貼付対象面として、当該貼付対象面の所望の目標箇所に合わせて当該養生テープを貼り付けたいという要望があった。
【０００４】
このため作業者は、例えば養生テープを目標箇所に合わせて直線状に貼り付けたい場合、当該養生テープが回巻された養生テープロールを一方の手で回転自在に保持しながら当該養生テープロールから他方の手で当該養生テープを引き出し、当該他方の手でその先端部分を目標箇所の一端に押さえつけて仮止めしてから、当該一方の手で当該養生テープロールを当該目標箇所の他端へ向けて移動させることにより、張力によって当該養生テープを貼付対象面から浮かせた状態に維持したまま当該養生テープを引き出していく。
【０００５】
続いて作業者は、養生テープの張力を維持したまま養生テープロールの位置を微調整して位置合わせし、養生テープの先端部分を押さえつけていた他方の手を、当該養生テープを貼付対象面へ押さえ付けながら徐々に養生テープロール側へ移動させていくことにより、当該養生テープを目標箇所に合わせて直線状に貼り付けることができる。
【０００６】
ところがこのような養生テープの貼付作業では、「養生テープを貼付対象面へ押さえ付けながら徐々に養生テープロール側へ移動させていく」といった作業を正確に行うには力加減を微妙に調整するといった熟練を要し、不慣れな作業者が貼付作業を行った場合には養生テープを目標箇所からずらしてしまったり、養生テープにしわを寄せてしまうといった失敗をする可能性が高く、作業効率が大きく低下してしまうという問題があった。
【０００７】
このため、養生テープを位置決めして貼り付けるための手段として、養生テープロールを回転自在に保持し、当該養生テープロールから引き出した養生テープを押さえ板により貼付対象面に押さえ付けて貼り付けるようになされたテープ貼付器が提案されている（特許文献１参照）。
【特許文献１】特開平８−１２７４６０公報（第２頁、第１図）
【発明の開示】
【発明が解決しようとする課題】
【０００８】
ところで作業者は、かかる構成のテープ貼付器を用いて養生テープを貼付対象面に貼り付ける際、当該養生テープを目標箇所に合わせて貼り付けるために、ハンドルを握る手に加える力の向きや強さを微調整する必要があった。
【０００９】
しかしながら、作業者がハンドルを握る手に加える力の向きや強さを適切に微調整するには慣れが必要であり、不慣れな作業者が当該テープ貼付器を用いた場合には養生テープを目標箇所に正しく貼り付けることができないといった問題があった。
【００１０】
本発明は以上の点を考慮してなされたもので、貼付テープを貼付対象面の目標箇所に合わせて容易に貼り付け得るテープ貼付器を提案しようとするものである。
【課題を解決するための手段】
【００１１】
かかる課題を解決するため本発明のテープ貼付器においては、貼付テープを所定の貼付対象面に貼り付けるテープ貼付器であって、作業者に掴ませる筐体部と、筐体部に設けられ、貼付テープが回巻された貼付テープロールを回転自在に軸支する軸支手段と、筐体部の下端に貼付テープロールの回転軸に対してほぼ平行となるように設けられ、貼付テープの幅よりも大きい当接幅を有し、貼付対象面に当接する第１当接手段と、筐体部の第１押付手段から離隔した下端に貼付テープロールの回転軸に対してほぼ平行となるように設けられ、貼付テープの幅よりも大きい当接幅を有し、貼付対象面に当接する第２当接手段とを設け、第１当接手段は、テープ貼付器が貼付テープロールの回転軸に対してほぼ垂直をなす所定の第１進行方向へ移動される際、作業者から筐体部を掴まれる際に加えられた力を利用して所定の第１回転方向に軸支された当該貼付テープロールから引き出された貼付テープを貼付対象面に押し付けることにより貼り付け、第２当接手段は、テープ貼付器が第１進行方向へ移動される際、作業者から筐体部を掴まれる際に加えられた力を利用して貼付対象面に当接した状態を維持することによって貼付テープロールの回転軸及び第１当接手段と貼付対象面とをほぼ平行に維持するようにした。
【００１２】
これにより、作業者に筐体部を掴まれた状態で第１進行方向に移動された際、第１当接手段及び第２当接手段により貼付対象面に対する筐体部の姿勢を維持して軸支手段及び第１当接手段を当該貼付対象面に対してほぼ平行に維持したまま、第１回巻方向に軸支された貼付テープロールから引き出した貼付テープを第１当接手段により貼付対象面に押し付けて直線状に貼り付けることができる。
【発明の効果】
【００１３】
本発明によれば、作業者に筐体部を掴まれた状態で第１進行方向に移動された際、第１当接手段及び第２当接手段により貼付対象面に対する筐体部の姿勢を維持して軸支手段及び第１当接手段を当該貼付対象面に対してほぼ平行に維持したまま、第１回巻方向に軸支された貼付テープロールから引き出した貼付テープを第１当接手段により貼付対象面に押し付けて直線状に貼り付けることができ、かくして貼付テープを貼付対象面の目標箇所に合わせて容易に貼り付け得るテープ貼付器を実現できる。
【発明を実施するための最良の形態】
【００１４】
以下、図面について、本発明の一実施の形態を詳述する。
【００１５】
（１）第１の実施の形態
（１−１）テープ貼付器の構成
図１において、１は全体として本発明によるテープ貼付器の全体構成を示しており、ケース２の内側に養生テープロール３を取り付け得るようになされている。
【００１６】
養生テープロール３は、一般的に用いられている養生テープロールと同様、ほぼ円筒状の紙素材でなる心材４に対して所定のテープ幅でなる養生テープ５が貼付面を内側に一様に回巻されており、両側面はほぼ平坦になされている。
【００１７】
ケース２は樹脂材料でなり、ほぼ台形状の平板でなる左側板２Ａの上底辺から右側へ矩形平板状の天板２Ｂがほぼ垂直に設けられていると共に、当該左側板２Ａの後側辺及び前側辺にはそれぞれ右側へ矩形平板状の後面板２Ｃ及び前面板２Ｄがそれぞれほぼ垂直に設けられている。
【００１８】
後面板２Ｃ及び前面板２Ｄの下端部には、それぞれ後押付部２Ｃ１及び前押付部２Ｄ１が設けられており、いずれも左側板２Ａと垂直をなすようになされている。
【００１９】
左側板２Ａの手前面におけるほぼ中央部には、ほぼ円筒形状の回転軸２Ｅが右方向へ突設されている。回転軸２Ｅは、その外径が養生テープロール３における心材４の内径よりも僅かに小さくなるようになされ、これにより当該養生テープロール３を容易に回転させ得るようになされている。
【００２０】
回転軸２Ｅには、養生テープロール３から貼付面が下向きとなるように養生テープ５を引き出した際、当該養生テープ５が後方向を向いた状態（以下、これを後向状態と呼ぶ）と当該養生テープ５が前方向を向いた状態（以下、これを前向状態と呼ぶ）とのいずれの状態にも当該養生テープロール３を挿通し得るようになされている。
【００２１】
回転軸２Ｅの内側面には、雌ねじ部２Ｅ１が形成されており、後述する取付ねじ８のねじ軸部８Ｂと螺合し得るようになされている。
【００２２】
スペーサ６及び７は、ほぼ円筒形状の樹脂材料でなり、内径が回転軸２Ｅの外径よりも僅かに大きくなるようになされており、回転軸２Ｅに容易に挿通され得るようになされている。
【００２３】
取付ねじ８は、樹脂材料でなり、ほぼ円板状でなる外側間隔維持手段としての当接板８Ａの左側面中心部に、ほぼ円筒形状でなり外側面に雄ねじが形成されたねじ軸部８Ｂが設けられている。
【００２４】
このため取付ねじ８は、ケース２のテープ回転軸２Ｅにスペーサ６、養生テープロール３及び外側間隔調整手段としてのスペーサ７が挿通された状態で当該テープ回転軸２Ｅに螺合されることにより、当該テープ回転軸２Ｅから当該スペーサ６、養生テープロール３及びスペーサ７が脱落することを防止し得るようになされている。
【００２５】
また取付ねじ８は、作業者によってケース２のテープ回転軸２Ｅに螺合される際、当該テープ回転軸２Ｅに対して完全に締め付けられるのではなく、適度な締め付け力によってある程度まで締め付けられることにより、養生テープロール３が左方向又は右方向にがたつきを有さないと共に自在に回転し得る状態に保つようになされている。
【００２６】
図２は、ケース２のテープ回転軸２Ｅにスペーサ６、後向状態の養生テープロール３及びスペーサ７が挿通されて取付ねじ８が螺合されたテープ取付器１を下側から見上げた状態を示している。
【００２７】
この図２において、ケース２の左側板２Ａにおける左右方向の幅（以下これを厚さと呼ぶ）ＴＢ、スペーサ６の厚さＴＳ１、養生テープロール３の厚さＴＰ、スペーサ７の厚さＴＳ２及び取付ねじ８の前面板１４Ａにおける厚さＴＦを加算した値は、ケース２の厚さＴＣよりも大きくなっており、取付ねじ８の当接板８Ａがケース２から右方向へ突出した状態となっている。
【００２８】
また養生テープロール３における前側面４Ａと取付ねじ８の当接板８Ａにおける前面８Ａ１との距離Ｔｄ１は、スペーサ７の厚さＴＳ２と当接板８Ａの厚さＴＦとを加算した値に等しくなっている。
【００２９】
ところでケース２の実際の厚さＴＢは約３４［ｍｍ］であり、養生テープロール３の厚さＴＰ（実際には約１８［ｍｍ］）に対して大きくなるようになされている。また当該ケース２の前後方向の長さＬＣは約１５５［ｍｍ］となっており、後押付部２Ｃ１及び前押付部２Ｄ１の間隔が十分に大きくなるようになされている。
【００３０】
ちなみに取付ねじ８の当接板８Ａの直径は約６０［ｍｍ］となっており、ケース２に組み込まれた際に当該ケース２から上下方向に突出しない範囲内でできるだけ大きくなるようになされている。
【００３１】
スペーサ６及び７は、それぞれ異なる厚さでなる複数種類のスペーサ（図示せず）のなかから作業者に選択されたものがそれぞれ用いられるようになされている。
【００３２】
実際上作業者は、まず当該距離Ｔｄ１に合わせてスペーサ７を選択し、次にケース２の厚さＴＣ、当該スペーサ７の厚さＴＳ２及び養生テープロール３の厚さＴＰ等に応じて必然的に決まる左側板２Ａと当該養生テープロール３との間隔に応じてスペーサ６を選択することにより、当該距離Ｔｄ１を所望の値に調整するようになされている。
【００３３】
（１−２）床面への養生テープの貼り付け
次に、テープ貼付器１を用いて養生テープ５を貼付対象面に貼り付ける様子について説明する。ここでは、図３に示すように、ほぼ水平な床面７１を貼付対象面として養生テープ５を貼り付ける場合を想定する。
【００３４】
図３において、テープ貼付器１は作業者の右手６０によって掴まれており、親指６０Ａにより取付ねじ８の当接板８Ａが左方向へ、人差し指６０Ｂ及び中指６０Ｃにより後面板２Ｃが前下方向へ、薬指６０Ｄ及び小指６０Ｅ（図示せず）により左側板２Ａ（図１）が右方向へ、右手６０の手のひらの一部により前面板２Ｄ（図１）が後下方向へ、それぞれ押し付けられた状態となっている。
【００３５】
すなわちテープ貼付器１は、作業者が当該テープ貼付器１を掴もうとする力により下方向へ押し付けられている。
【００３６】
またテープ貼付器１は、予め作業者によって養生テープロール３から養生テープ５が所定長さだけ引き出されており、後面板２Ｃの後押付部２Ｃ１と床面７１との間に当該養生テープ５を挟んでいる。
【００３７】
このためテープ貼付器１は、全体として下方向へ押し付けられ、後面板２Ｃの後押付部２Ｃ１が養生テープ５を挟んで床面７１に押し付けられ、前面板２Ｄの前押付部２Ｄ１が当該床面７１に直接押し付けられた状態、すなわち後押付部２Ｃ１及び前押付部２Ｄ１が共に当該床面７１に対して水平となり安定した状態を保つ。
【００３８】
このときテープ貼付器１は、ケース２の後押付部２Ｃ１、前押付部２Ｄ１及び回転軸２Ｅがいずれも左側板２Ａに対して垂直をなしているため、当該後押付部２Ｃ１及び当該前押付部２Ｄ１と同様、回転軸２Ｅについても床面７１に対して水平な状態に保っている。
【００３９】
この状態において作業者が右手６０を第１進行方向としての前方向へ動かした場合、テープ貼付器１は、後押付部２Ｃ１及び回転軸２Ｅが床面７１に対して水平に保たれているため、当該後押付部２Ｃ１により養生テープ５を当該床面７１に対して均一に押し付けて密着させていき、当該養生テープ５を前方向へ直線状に貼り付けていくことができる。
【００４０】
このときテープ貼付器１は、前押付部２Ｄ１と養生テープ５を挟んだ後押付部２Ｃ１とにより床面７１に当接するため、作業者に下方向への力を加え続けさせるだけで当該床面７１に対する当該テープ貼付器１の姿勢を安定させることができる。
【００４１】
またテープ貼付器１は、回転軸２Ｅが床面に対して水平に、かつ前方向に対して垂直をなす状態のまま当該前方向へ動かされるため、養生テープロール３から養生テープ５を引き出しながら貼り付ける際、当該養生テープ５を捻らずに済む。
【００４２】
さらにテープ貼付器１は、図４（Ａ）に示す後向状態に代えて、図４（Ｂ）に示すように養生テープロール３が当該後向状態と反対の前向状態で組み込まれた場合、作業者によって第２進行方向としての後方向へ移動されることにより、図３に示した場合と同様かつ反対方向、すなわち後方向に養生テープ５を床面７１に密着させながら直線状に貼り付けていくことができる。この場合、作業者は作業のやりやすさ等を考慮して適宜掴み方を変更すれば良く、また右手６０に代えて左手（図示せず）で当該テープ貼付器１を掴んで移動させるようにしても良い。
【００４３】
（１−３）入角への養生テープの貼り付け
次に図５（Ａ）に示すように、ほぼ水平な床面７１とほぼ垂直に設けられた壁面７２との接合箇所における内側部分（いわゆる入角）付近に、床面７１を貼付対象面としてテープ貼付器１を用いて養生テープ５を貼り付ける場合を想定する。
【００４４】
図５（Ａ）において、テープ貼付器１は作業者の右手６０によって掴まれており、親指６０Ａにより前面板２Ｄが後下方向へ、人差し指６０Ｂ及び中指６０Ｃにより後面板２Ｃが前下方向へ、薬指６０Ｄ及び小指６０Ｅにより左側板２Ａが右方向へそれぞれ押し付けられている。
【００４５】
すなわちテープ貼付器１は、作業者が当該テープ貼付器１を掴もうとする力を利用して下方向及び右方向へ押し付けられている。
【００４６】
またテープ貼付器１は、予め作業者によって養生テープロール３から所定長さだけ引き出された養生テープ５を後面板２Ｃの後押付部２Ｃ１と床面７１との間に挟んでいる。
【００４７】
このためテープ貼付器１は、全体として右方向及び下方向へ押し付けられ、図５（Ｂ）に後側面を示すように、当接板８Ａの当接面８Ａ１が壁面７２に当接されると共に、後面板２Ｃの後押付部２Ｃ１が養生テープ５を挟んで床面７１に押し付けられ、前面板２Ｄの前押付部２Ｄ１が当該床面７１に直接押し付けられた状態、すなわち後押付部２Ｃ１及び前押付部２Ｄ１が共に当該床面７１に対して水平となり安定した状態を保つ。
【００４８】
この状態において作業者が当接板８Ａの当接面８Ａ１を壁面７２に当接させたまま右手６０を前方向へ動かした場合、テープ貼付器１は、壁面７２と養生テープ５との間隔を一定の距離Ｔｄ１に保ちながら当該養生テープ５を当該床面７１に対して均一に押し付けて密着させていき、当該養生テープ５を前方向へ順次貼り付けていくことができる。
【００４９】
このときテープ貼付器１は、前押付部２Ｄ１及び養生テープ５を介した後押付部２Ｃ１により床面７１に当接されると共に取付ねじ８の前面板８Ａにおける当接面８Ａ１により壁面７２に当接されるため、作業者に当該テープ貼付器１の姿勢に関して特に配慮させることなく、下方向及び右方向への力を加え続けさせるだけで当該床面７１に対する姿勢を安定させることができる。
【００５０】
（１−４）動作及び効果
以上の構成において、テープ貼付器１は、ケース２のテープ回転軸２Ｅにスペーサ６、後向状態の養生テープロール３及びスペーサ７が挿通され取付ねじ８が螺合されて、当該養生テープロール３から養生テープ５が所定長さだけ引き出された状態で、作業者の右手６０により掴まれて床面７１に押し付けられた状態を維持したまま前方向へ移動される（図３（Ａ））。
【００５１】
このときテープ貼付器１は、後面板２Ｃの後押付部２Ｃ１が養生テープ５を挟んで床面７１に押し付けられると共に前面板２Ｄの前押付部２Ｄ１が当該床面７１に直接押し付けられたまま前方向へ移動されることにより、養生テープ５を当該床面７１に貼り付けていく。
【００５２】
従ってテープ貼付器１は、作業者の右手６０により掴まれて床面７１に押し付けられたまま前方向へ移動されることにより、当該養生テープ５を当該床面７１に貼り付けていくことができる。
【００５３】
このときテープ貼付器１は、前押付部２Ｄ１及び養生テープ５を介した後押付部２Ｃ１により床面７１に当接した状態を維持したまま前方向へ移動されるため、当該後押付部２Ｃ１及び回転軸２Ｅが床面７１に対して水平に保たれ、当該後押付部２Ｃ１により養生テープ５を当該床面７１に対して均一に押し付けて密着させることができ、当該養生テープ５を直線状に皺を寄せることなくまっすぐに貼り付けていくことができる。
【００５４】
またテープ貼付器１は、後押付部２Ｃ１により、作業者が当該テープ貼付器１を掴もうとする力を利用して下方向に対して力を十分に加えながら養生テープ５を貼り付けていくことができるので、当該養生テープ５を床面７１に密着させることができ、当該作業者に当該養生テープ５と当該床面７１との隙間の空気を追い出すために再度押し付けるといった余分な作業を行わせる必要がない。
【００５５】
特にこの場合テープ貼付器１は、後面板２Ｃ及び前面板２Ｄが貼付対象面である床面７１に対して傾斜していることにより、作業者の右手６０による当該テープ貼付器１を掴もうとする力を自然に下方向へ向けることができ、また当該作業者が薬指６０Ｄ及び小指６０Ｅに加える力により前方向に押し付けられるため（図３（Ａ））、当該作業者に無理な力を加えさせたり、或いは力の向きを微調整させるといった困難な作業を要求せずに床面７１に対する姿勢を維持することができ、当該作業者に養生テープ５を容易に貼り付けさせることができる。
【００５６】
またテープ貼付器１は、当接板８Ａの前面８Ａ１が壁面７２に当接されながら前方向に移動されることにより（図５（Ａ））、当該壁面７２と養生テープ５との間隔を一定の距離Ｔｄ１に保ちながら当該養生テープ５を床面７１に貼り付けていくことができる。
【００５７】
このとき作業者は、当接板８Ａの前面８Ａ１を壁面７２に当接させながらテープ貼付器１を移動させるだけで、当該壁面７２と養生テープ５との間隔を一定の距離Ｔｄ１に容易に保つことができるので、当該テープ貼付器１を使用せず手作業で距離Ｔｄ１を調整しながら養生テープ５を床面７１に貼り付けた場合と比較して、作業時間を大幅に短縮することができる。
【００５８】
またテープ貼付器１は、養生テープロール３が右向状態で組み込まれた場合（図４（Ｂ））、作業者によって後方向へ移動されることにより、図３と反対の後方向へ養生テープ５を貼り付けていくことができる。
【００５９】
さらにテープ貼付器１は、予め作業者によってスペーサ６及び７が複数種類のスペーサ（図示せず）のなかから適切に選択されることにより、壁面７２と養生テープ５との距離Ｔｄ１を自在に調整することができる。
【００６０】
そのうえテープ貼付器１は、後面板２Ｃ及び前面板２Ｄがそれぞれ１枚の平面状に形成されており、作業者により図３（Ａ）に示したように掴まれた場合、後押付部２Ｃ１が人差し指６０Ｂ及び中指６０Ｃの延長線上に位置している。このため作業者は、養生テープ５を押し付けている後押付部２Ｃ１の位置を直感的に認識することができる。
【００６１】
以上の構成によれば、テープ貼付器１は、ケース２のテープ回転軸２Ｅにスペーサ６、左向状態の養生テープロール３及びスペーサ７が挿通され取付ねじ８が螺合されて、当該養生テープロール３から養生テープ５が所定長さだけ引き出された状態で、作業者の右手６０により掴まれて後押付部２Ｃ１が養生テープ５を挟んで床面７１に押し付けられたまま前方向へ移動されることにより、床面７１に対する姿勢を安定させたまま、当該床面７１に当該養生テープ５を密着させながら直線状に貼り付けていくことができる。
【００６２】
（２）第２の実施の形態
（２−１）テープ貼付器の構成
図１と対応した図６において、１０は第２の実施の形態によるテープ貼付器を示しており、第１の実施の形態におけるテープ貼付器１と比較して、スペーサ７に代えて突出当接手段としてのガイド板１１を組み込むようになされている点以外は同様の構成を有している。
【００６３】
実際上テープ貼付器１０は、作業者が第１の実施の形態におけるテープ貼付器１の取付ねじ８を一度取り外し、スペーサ７を取り外してガイド板１１を回転軸２Ｅに挿通させてから再度取付ねじ８を取り付けることにより構成され得るようになされている。また当該テープ貼付器１０は、当該ガイド板１１に代えて再度スペーサ７を組み込むことにより容易にテープ貼付器１に変更することもできる。
【００６４】
このガイド板１１は、ほぼ長円平板状の樹脂材料でなり、長軸方向が所定長さとなるようになされている。またガイド板１１は、長軸方向に関して一方に寄った位置に、内径が回転軸２Ｅの外径よりも僅かに大きい挿通穴１１Ａを有しており、当該挿通穴１１Ａにケース２の回転軸２Ｅを容易に挿通させ得るようになされている。
【００６５】
またガイド板１１は、図６に示したように、回転軸２Ｅに挿通されると共に突出当接間隔維持手段としての取付ねじ８と養生テープロール３との間に挟まれ、当該回転軸２Ｅから下方向を向いた状態でテープ取付器２に組み込まれるようになされている。このときガイド板１１は、後押付部２Ｃ１及び前押付部２Ｄ１よりも下側へ突出するようになされている。
【００６６】
ところでテープ貼付器１０を下側から見上げた場合、図２と対応した図７に示すように、ガイド板１１の背面１１Ｂは、養生テープロール３の右側面３Ａと接している。
【００６７】
（２−２）出角への養生テープの貼り付け
次に、テープ貼付器１０を用いて養生テープ５を貼付対象面に貼り付ける様子について説明する。ここでは、図８（Ａ）に示すように、ほぼ水平な上面８１と、当該上面８１から下方に垂設された側面８２との接合箇所における外側部分（いわゆる出角）付近に、当該上面８１を貼付対象面として養生テープ５を貼り付ける場合を想定する。
【００６８】
図８（Ａ）において、テープ貼付器１０は作業者の右手６０によって掴まれており、図３に示した場合と同様に、親指６０Ａにより取付ねじ８の当接板８Ａとガイド板１１が左方向へ、人差し指６０Ｂ及び中指６０Ｃにより後面板２Ｃが前下方向へ、薬指６０Ｄ及び小指６０Ｅ（図示せず）により左側板２Ａが僅かに右方向へ、右手６０の手のひらの一部により前面板２Ｄが後下方向へ、それぞれ押し付けられた状態となっている。
【００６９】
すなわちテープ貼付器１０は、作業者が当該テープ貼付器１を掴もうとする力により下方向及び左方向へ押し付けられた状態となる。
【００７０】
ここでテープ貼付器１０は、予め作業者によって養生テープロール３から養生テープ５が所定長さだけ引き出されており、右側板２Ｃの押付部２Ｃ１と上面８１との間に当該養生テープ５を挟んでいる。
【００７１】
このためテープ貼付器１０は、全体として下方向及び左方向へ押し付けられ、図８（Ｂ）に左側面を示すように、ガイド板１１の背面１１Ｂにおける下部が側面８２の上部８２Ａに当接されると共に、後面板２Ｃの押付部２Ｃ１が養生テープ５を挟んで上面８１に押し付けられ、前面板２Ｄの押付部２Ｄ１が当該上面８１に直接押し付けられた状態、すなわち後押付部２Ｃ１及び前押付部２Ｄ１が共に当該上面８１に対して水平となり安定した状態を保つ。
【００７２】
この状態において作業者が右手６０を前方向へ動かした場合、テープ貼付器１０は、養生テープ５を後押付部２Ｃ１により上面８１に押し付けることにより当該上面８１に貼り付けながら前方向へ移動するため、当該養生テープ５を当該上面８１に密着させながら前方向へ直線状に貼り付けていくことができる。
【００７３】
このときテープ貼付器１０は、ガイド板１１の背面１１Ｂにおける下部が側面８２の上部８２Ａに当接されたまま移動されるため、養生テープ５を上面８１と側面８２との境界辺８３に合わせながら当該養生テープ５を上面８１に貼り付けることができる。
【００７４】
（２−３）動作及び効果
以上の構成において、テープ貼付器１０は、ケース２のテープ回転軸２Ｅにスペーサ６、後向状態の養生テープロール３及びガイド板１１が挿通され取付ねじ８が螺合されて、当該養生テープロール３から養生テープ５が所定長さだけ引き出された状態で、作業者の右手６０により掴まれて上面８１及び側面８２に押し付けられたまま前方向へ移動される（図８（Ａ））。
【００７５】
このときテープ貼付器１０は、ガイド板１１の背面１１Ｂにおける下部が側面８２の上部８２Ａに当接されると共に、後面板２Ｃの後押付部２Ｃ１が養生テープ５を挟んで上面８１に押し付けられ、前面板２Ｄの前押付部２Ｄ１が当該上面８１に直接押し付けられた状態を維持したまま前方向へ移動されることにより、養生テープ５を上面８１に貼り付けていく。
【００７６】
従ってテープ貼付器１０は、作業者の右手６０により掴まれ、上面８１及び側面８２に押し付けられたまま前方向へ移動されることにより、養生テープ５を境界辺８３に合わせながら当該上面８１に貼り付けていくことができる。
【００７７】
この場合テープ貼付器１０は、第１の実施の形態と同様、貼付対象面としての上面８１に対する姿勢を維持したまま、ケース２内において養生テープ５を捻らせることがないため、当該上面８１に対して当該養生テープ５を直線状に皺を寄せることなくまっすぐに貼り付けていくことができる。
【００７８】
またテープ貼付器１０は、第１の実施の形態と同様、作業者に無理な力を加えさせたり、或いは力の向きを微調整させるといった困難な作業を要求することなく、上面８１に対する姿勢を維持することができ、当該作業者に養生テープ５を容易にかつ素早く貼り付けさせることができる。
【００７９】
このため作業者は、ガイド板１１の背面１１Ｂにおける下部を側面８２の上部８２Ａに当接させながらテープ貼付器１０を移動させるだけで、養生テープ５を境界辺８３に合わせて貼り付けることができるので、当該テープ貼付器１０を使用せず手作業で養生テープ５を境界辺８３に合わせるように上面８１に貼り付けた場合と比較して、作業時間を大幅に短縮することができる。
【００８０】
またテープ貼付器１０は、第１の実施の形態と同様、図４（Ｂ）に示したような前向状態で組み込まれた場合にも、作業者によって後方向へ移動されることにより、境界辺８３に合わせながら養生テープ５を上面８１に後方向へ貼り付けていくことができる。
【００８１】
さらにテープ貼付器１０は、第１の実施の形態におけるテープ貼付器１のスペーサ７に代えてガイド板１１が組み込まれるといった簡易な変更により構成することができ、また反対に当該ガイド板１１に代えてスペーサ７を組み込むことにより当該テープ貼付器１に容易に変更することができるため、このように構成を変更することによって作業現場で出角及び入角の両方に柔軟に対応することができる。
【００８２】
以上の構成によれば、テープ貼付器１０は、ケース２のテープ回転軸２Ｅにスペーサ６、後向状態の養生テープロール３及びガイド板１１が挿通され取付ねじ８が螺合されて、当該養生テープロール３から養生テープ５が所定長さだけ引き出された状態で、作業者の右手６０により掴まれてガイド板１１の背面１１Ｂの下部が側面８２の上部８２Ａに当接されると共に後押付部２Ｃ１が養生テープ５を挟んで上面８１に押し付けられたまま前方向へ移動されることにより、第１の実施の形態と同様に、上面８１に対する姿勢を安定させたまま、境界辺８３に合わせて当該養生テープ５を当該上面８１に密着させながら直線状に貼り付けていくことができる。
【００８３】
（３）第３の実施の形態
（３−１）テープ貼付器の構成
図１と対応した図９において、２０は第３の実施の形態によるテープ貼付器を示しており、第１の実施の形態におけるテープ貼付器１と比較して、ケース２と対応するケース２１の回転軸２１Ｅが回転軸２Ｅ（図１）よりも短くなされ、また取付ねじ８と対応する取付ねじ２２のねじ軸部２２Ｂがねじ軸部８Ｂよりも短くなされ、さらにスペーサ７を組み込まないようになされている点以外は同様の構成を有している。
【００８４】
ケース２１は、ケース２と同様に右側が開放された形状を有しているが、天板２１Ｂの天板左側部２１Ｂ１、後面板２１Ｃの後面右側部２１Ｃ２、前面板２１Ｄの前面右側部２１Ｄ２が同一平面上に位置するようになされている（以下、天板左側部２１Ｂ１、後面右側部２１Ｃ２及び前面右側部２１Ｄ２を含む仮想的な平面を仮想右側面ＶＲと呼ぶ）。
【００８５】
このテープ貼付器２０は、図２と対応した図１０（下から見上げた状態）に示すように、テープ貼付器１（図２）と比較して内側間隔維持手段としての取付ねじ２２がケース２１の内部に完全に格納されている点が大きく異なっている。
【００８６】
また取付ねじ２２のテープ保持板２２Ａにおける半径は、養生テープロール３の内径よりも大きくなるようになされている。これにより取付ねじ２２は、ケース２１の回転軸２１Ｅに内側間隔調整手段としてのスペーサ６及び当該養生テープロール３が挿通された状態で当該回転軸２１Ｅに螺合された場合、当該テープ回転軸２１Ｅから当該スペーサ６及び養生テープロール３が脱落することを防止し得るようになされている。
【００８７】
ここで、テープ貼付器２０においては種々の厚さＴＰでなる養生テープロール３を用いることができるが、使用する養生テープロール３が決められた場合、ケース２１の左右方向の幅ＴＣ、左側板２１Ａの厚さＴＬが不変であるため、当該養生テープロール３の前側面３Ａと仮想右側面ＶＲとの距離Ｔｄ３は、スペーサ６の厚さＴＳ１によって定まる。このためテープ貼付器２０は、様々な厚さを有する複数種類のスペーサ６の中から所望の厚さでなるスペーサ６が選択されることにより距離Ｔｄ３を調整し得るようになされている。
【００８８】
（３−２）入角への養生テープの貼り付け
次に、テープ貼付器２０を用いて養生テープ５を貼付対象面に貼り付ける様子について図５と対応した図１１を用いて説明する。図１１（Ａ）において、図５（Ａ）の場合と同様に、ほぼ水平な床面７１と壁面７２とが接合された入角付近に、床面７１を貼付対象面としてテープ貼付器２０を用いて養生テープ５を貼り付ける場合を想定する。
【００８９】
図１１（Ａ）において、テープ貼付器２０は作業者の右手６０によって掴まれており、図５（Ａ）に示した場合と同様に、親指６０Ａにより前面板２１Ｄが後下方向へ、人差し指６０Ｂ及び中指６０Ｃにより後面板２１Ｃが前下方向へ、薬指６０Ｄ及び小指６０Ｅにより左側板２１Ａが右方向へそれぞれ押し付けられており、テープ貼付器２０全体として、作業者が当該テープ貼付器２０を掴もうとする力により下方向及び左方向へ押し付けられている。
【００９０】
ここでテープ貼付器２０は、予め作業者によって養生テープロール３から養生テープ５が所定長さだけ引き出されており、右側板２１Ｃの押付部２１Ｃ１と床面７１との間に当該養生テープ５を挟んでいる。
【００９１】
このためテープ貼付器１は、図５（Ｂ）と対応した図１１（Ｂ）に後側面を示すように、後押付部２１Ｃ１及び前押付部２１Ｄ１が共に当該床面７１に対して水平となり安定した状態を保つ。
【００９２】
このとき、テープ貼付器２０がケース２１の仮想右側面ＶＲ（実際には天板左側部２１Ｂ１、後面右側部２１Ｃ２及び前面右側部２１Ｄ２）を壁面７２に当接させているため、養生テープロール３と当該壁面７２との間隔は距離Ｔｄ３になる。
【００９３】
この状態において作業者がテープ貼付器２０の仮想右側面ＶＲを壁面７２に当接させたまま右手６０を前方向へ動かした場合、テープ貼付器２１は、壁面７２と養生テープ５との間隔を一定の距離Ｔｄ３に保ちながら当該養生テープ５を当該床面７１に対して均一に押し付けて密着させていき、当該養生テープ５を前方向へ順次貼り付けていくことができる。
【００９４】
（３−３）動作及び効果
以上の構成において、テープ貼付器２０は、ケース２のテープ回転軸２Ｅにスペーサ６及び後向状態の養生テープロール３が挿通され取付ねじ２２が螺合されて、当該養生テープロール３から養生テープ５が所定長さだけ引き出された状態で、作業者の右手６０により掴まれて床面７１及び壁面７２に押し付けられる（図１１（Ａ））。
【００９５】
そしてテープ貼付器２０は、後面板２Ｃの後押付部２Ｃ１が養生テープ５を挟んで床面７１に押し付けられると共に、前面板２Ｄの前押付部２Ｄ１が当該床面７１に直接押し付けられており、さらに仮想右側面ＶＲが壁面７２に当接されることにより、養生テープロール３と当該壁面７２との間隔を距離Ｔｄ３に保ちながら養生テープ５を床面７１に貼り付けていく。
【００９６】
従ってテープ貼付器２０は、床面７１及び壁面７２に押し付けられたまま前方向へ移動されるだけで、当該壁面７２と養生テープ５との間隔を一定の距離Ｔｄ３に保ちながら当該養生テープ５を床面７１に貼り付けていくことができる。
【００９７】
このときテープ貼付器２０は、仮想右側面ＶＲ、すなわち天板左側部２１Ｂ１、後面右側部２１Ｃ２及び前面右側部２１Ｄ２によってケースの前後方向の長さＬＣ（図１０、約１５５［ｍｍ］）に渡って壁面７２に当接しているため、第１の実施の形態におけるテープ貼付器１（図５（Ａ））が当接板８Ａ（直径約６０［ｍｍ］）のみにより壁面７２に当接した場合と比較して、当該壁面７２に対してぐらつく可能性を格段に抑えることができ、床面７１に対して一段と安定して養生テープ５を直線状に貼り付けていくことができる。
【００９８】
またテープ貼付器２０は、第１の実施の形態と同様、予め作業者によってスペーサ６が複数種類のスペーサ（図示せず）のなかから適切に選択されることにより、壁面７２と養生テープ５との距離Ｔｄ３を自在に調整することができる。
【００９９】
さらにテープ貼付器２０は、第１の実施の形態と同様、図４（Ｂ）に示したような前向状態で組み込まれた場合にも、作業者によって後方向へ移動されることにより、壁面７２と養生テープ５との間隔を一定の距離Ｔｄ３に保ちながら当該養生テープ５を床面７１に後方向へ貼り付けていくことができる。
【０１００】
以上の構成によれば、テープ貼付器２０は、ケース２のテープ回転軸２Ｅにスペーサ６、後向状態の養生テープロール３及びスペーサ７が挿通され取付ねじ２２が螺合されて、当該養生テープロール３から養生テープ５が所定長さだけ引き出された状態で、作業者の右手６０により掴まれて床面７１及び壁面７２に押し付けられた状態を維持しながら前方向へ移動されることにより、当該壁面７２に対して安定的に当接することができ、当該壁面７２と養生テープ５との間隔を一段と安定的に一定の距離Ｔｄ３に保ちながら当該養生テープ５を床面７１に貼り付けることができる。
【０１０１】
（４）第４の実施の形態
第４の実施の形態においては、第１の実施の形態と同様の構成でなるテープ貼付器１（図１）に加えて、図１２に示す貼付補助具９０が用いられるようになされている。
【０１０２】
貼付補助具９０は、金属製でなる棒状のアーム部９１の一端にほぼ円筒形状でなるハンドル部９２が設けられており、当該ハンドル部９２により作業者の手に把持されやすいようになされている。またアーム部９２の他端には、金属素材でなる矩形平板状の板状部９３が設けられている。
【０１０３】
板状部９３は、その短辺によってアーム部９１の他端側における周側部に強固に取り付けられており、また他端側（すなわち先端側）の長辺でなるエッジ部９３Ａは、面取り加工が施されている。
【０１０４】
貼付補助具９０の全長ＬＨは約３００［ｍｍ］であり、また板状部９３の長辺の長さＷＢは約５０［ｍｍ］、短辺の長さＬＢは約２０［ｍｍ］、厚さＴＢは約３［ｍｍ］となっており、当該板状部９３は容易に撓まないようになされている。
【０１０５】
このため貼付補助具９０は、作業者によりハンドル部９２から先端方向への力が加えられた際、板状部９３を撓ませることなくエッジ部９３Ａにその力を伝えることができる。
【０１０６】
以上の構成において、図１３（Ａ）及び（Ｂ）に示すように、作業者がテープ貼付器１を用いて、入角を構成する貼付壁面７３及び床面７１に対して連続的に養生テープ５を貼り付ける場合を想定する。
【０１０７】
作業者は、まず図１３（Ａ）に示すように、テープ貼付器１を「立てた」状態で、貼付壁面７３を貼付対象面として当該テープ貼付器１の後押付部２Ｃ１及び前押付部２Ｄ１を貼付壁面７３に押し付けながら上側から下方向へ移動させていくことにより、側壁面７４との間隔を一定の距離Ｔｄ１に保ちながら養生テープ５を下方向へ貼り付けていき、やがて前押付部２Ｄ１を床面７１に当接させる。
【０１０８】
ここで、テープ貼付器１は後押付部２Ｃ１によって養生テープ５を貼付壁面７３に貼り付けているため、床面７１から当該テープ貼付器１の前後方向の長さＬＣ（図２）に相当する部分に当該養生テープ５を貼り付けることができない。
【０１０９】
そこで図１３（Ｂ）に示すように、作業者は、テープ貼付器１から十分な長さの養生テープ５を引き出しておき、次に貼付補助具９０を把持し、後押付部２Ｃ１によって最後に養生テープ５を貼り付けた位置に当該貼付補助具９０のエッジ部９３Ａを養生テープ５の上から貼付壁面７３に押し付けると共にそのまま下方向へ移動させる。
【０１１０】
このとき貼付補助具９０は、養生テープ５を貼付壁面７３に押し付けながら下方向に移動されるため、当該養生テープ５を床面７１に到達するまで貼付壁面７３に貼り付けることができる。
【０１１１】
この後作業者は、第１の実施の形態と同様にテープ貼付器１を床面７１及び側壁面７４に押し付けながら移動させることにより、引き続き養生テープ５を当該床面７１に貼り付けていくことができる。
【０１１２】
このように貼付補助具９０は、テープ貼付器１のみでは養生テープ５を貼り付けることができなかった貼付壁面７３と床面７１との入角において、作業者に当該貼付補助具９０を併用させることにより、当該養生テープ５を貼付壁面７３から床面７１に渡って連続的に貼り付けさせることができる。
【０１１３】
また貼付補助具９０は、例えば図１３（Ａ）に示したようにテープ貼付器１によって養生テープ５を貼付壁面７３の必要な箇所に貼り付けた後、当該養生テープ５を切断したい場合に、作業者によりエッジ部９３Ａが当該養生テープ５の上から強く押し付けられた状態で当該養生テープ５の余剰部分を強く引っ張らせることにより、当該エッジ部９３Ａを押し付けた位置で当該養生テープ５を引きちぎらせることができる。
【０１１４】
以上の構成によれば、貼付補助具９０は、入角を構成する貼付壁面７３及び床面７１に対して作業者が連続的に養生テープ５を貼り付ける際、テープ貼付器１と併用されることにより、当該テープ貼付器１のみでは当該養生テープ５を貼り付けることができない当該貼付壁面７３と床面７１との入角に対して、当該養生テープ５を連続的に貼り付けさせることができる。
【０１１５】
（５）他の実施の形態
なお上述した実施の形態においては、ケース２の回転軸２Ｅに養生テープロール３を直接挿通するようにした場合について述べたが、本発明はこれに限らず、当該回転軸２Ｅの外径を養生テープロール３の心材４の内径よりも十分に小さくし、回転軸２Ｅと養生テープロール３の心材４との間にアダプタを介するようにしても良い。
【０１１６】
例えば図１と対応した図１４において、ケース２と対応したケース３１の回転軸３１Ｅが養生テープロール３の心材４における内径よりも十分に小さくなるようになされており、スペーサ３２、３３及び取付ねじ３４のねじ軸部３４Ｂも当該回転軸３１Ｅに対応するようになされている。
【０１１７】
ここでアダプタ３５は、養生テープロール３とほぼ同等の厚さの円筒形状でなり、内径はスペーサ３２及び３３と同様に回転軸３１Ｅの外径よりも僅かに大きくなるようになされ、外径は養生テープロール３の心材４における内径よりも僅かに小さくなるようになされている。
【０１１８】
このためテープ貼付器３０は、養生テープロール３における心材４の内側にアダプタ３５を組み込むことにより、当該養生テープロール３と当該アダプタ３５とを一体として回転軸３１Ｅを中心に自在に回転させることができ、この結果、上述した第１の実施の形態と同様の作用効果を得ることができる。
【０１１９】
そのうえテープ貼付器３０は、予め複数種類のアダプタ３５を用意しておき、適宜交換されることにより、製造メーカの違いや種類の違い等に応じて心材４の内径が異なる種々の養生テープロール３に対応することができる。
【０１２０】
さらにテープ貼付器３０は、第２の実施の形態におけるガイド板１１（図６）と同様の、回転軸３１Ｅに対応したガイド板（図示せず）を用いることにより、入角のみでなく出角にも対応することができる。
【０１２１】
また上述した実施の形態においては、ケース２の回転軸２Ｅに養生テープロール３を挿通させる際、左側板２Ａと当該養生テープロール３との間隔をスペーサ６により調整するようにした場合について述べたが、本発明はこれに限らず、スプリング等を用いて調整するようにしても良い。
【０１２２】
例えば図１と対応した図１５において、テープ貼付器１と対応したテープ貼付器４０は、スペーサ６に代えてスプリング４１及びテープロール支持板４２を組み込むようになされている。ここでスプリング４１は、左側板２Ａとテープロール支持板４２を介した養生テープロール３との間に挟まれた際、弾性力の作用により当該テープロール支持板４２を介して当該養生テープロール３を右方向へ適度に押し付けるようになされており、当該養生テープロール３を左右方向にがたつかせることなく自在に回転させ得るようになされている。
【０１２３】
これによりテープ貼付器４０は、作業者に距離Ｔｄ１（図２）又は距離Ｔｄ２（図７）を調整するためにスペーサ７を選択させる際、ケース２の厚さＴＣ、当該スペーサ７の厚さＴＳ２や養生テープロール３の厚さＴＰ等に応じて必然的に決定される左側板２Ａと当該養生テープロール３との間隔（すなわち厚さＴＳ１）を、当該間隔に応じた適切なスペーサ６をわざわざ作業者に選択させる必要なく、スプリング４１及びテープロール支持板４２によって自動的に調整することができる。
【０１２４】
さらに上述した実施の形態においては、後面板２Ｃの下端部でなる後押付部２Ｃ１又は前面板２Ｄの下端部でなる前押付部２Ｄ１によって養生テープ５を貼付対象面に押し付けるようにした場合について述べたが、本発明はこれに限らず、ローラ等を用いて当該養生テープ５を貼付対象面に押し付けるようにしてもよい。
【０１２５】
例えば図１６に示すように、テープ貼付器１（図１）と対応したテープ貼付器５０において、ケース５１の後面板５１Ｃの下部及び前面板５１Ｄの下部にローラ５２及び５３をそれぞれ回動自在に設ける。ここでローラ５２及び５３は、スポンジ状の樹脂材料でなり、適度な弾力性を有している。
【０１２６】
このためテープ貼付器５０は、仮に貼付対象面が平坦でなく凹凸を有している場合等であっても、ローラ５２及び５３が当該凹凸の形状に応じて弾性変形するため、養生テープ５を貼付対象面の凹凸に合わせて押し付けることができ、当該養生テープ５を隙間無く当該貼付対象面に密着させて貼り付けることができる。
【０１２７】
同時にテープ貼付器５０は、ローラ５２及び５３が回転し得ることにより、作業者によって前方向又は後方向へ移動される際の摩擦を大幅に低減させることができる。このため作業者は、当該テープ貼付器５０を一段とスムーズに移動させることができる。
【０１２８】
さらに上述した第１の実施の形態においては、取付ねじ８の当接板８Ａにおける当接面８Ａ１を壁面７２に当接させるようにした場合について述べたが、本発明はこれに限らず、例えばスペーサ７及び取付ねじ８を使用せず、厚さＴＳ１が比較的大きいスペーサ６を選択することにより養生テープロール３を壁面７２に直接当接させるようにしても良く、これにより距離Ｔｄ１＝０、すなわち養生テープ５を壁面７２と隙間無く貼り付けることができる。
【０１２９】
さらに上述した第２の実施の形態においては、養生テープロール３とガイド板１１とが当接するようにした場合について述べたが、本発明はこれに限らず、当該養生テープロール３とガイド板１１との間にスペーサ７を挟んでケース２に組み込むようにしても良い。これにより、当該スペーサ７の厚さに応じて養生テープ５と境界辺８３（図８）との間隔を調整することができる。
【０１３０】
さらに上述した実施の形態においては、ほぼ水平な床面７１又は上面８１を貼付対象面として養生テープ５を貼り付ける場合について述べたが、本発明はこれに限らず、ほぼ垂直な壁面等、様々な面を貼付対象面として養生テープ５を貼り付けるようにしても良い。
【０１３１】
さらに上述した実施の形態においては、テープ貼付器１が図３（Ａ）及び図５（Ａ）に示したように作業者の右手６０に掴まれるようにした場合について述べたが、本発明はこれに限らず、貼付対象面に応じて作業者の好みに合った掴み方や作業効率の良い掴み方で掴ませた状態で養生テープ５を貼り付けさせるようにしても良い。
【０１３２】
さらに上述した実施の形態においては、ケース２、スペーサ６及び７、ガイド板１１及び取付ねじ８等を樹脂素材で構成するようにした場合について述べたが、本発明はこれに限らず、それぞれ金属等の他の素材で構成するようにしても良い。
【０１３３】
さらに上述の実施の形態においては、ケース２に養生テープロール３を組み込むことにより、養生テープ５を貼付対象面に貼り付けるようにした場合について述べたが、本発明はこれに限らず、当該ケース２の回転軸２Ｅに組込可能な種々の貼付テープロールを組み込み、当該貼付テープロールから引き出した貼付テープを貼付対象面に貼り付けるようにしても良い。
【０１３４】
さらに上述の実施の形態においては、筐体部としてのケース２と、軸支手段としての回転軸２Ｅと、第１当接手段としての後押付部２Ｃ１と、第２当接手段としての前押付部２Ｄ１とによってテープ貼付器を構成する場合について述べたが、本発明はこれに限らず、その他種々の構成でなる筐体部と、軸支手段と、第１当接手段と、第２当接手段とによってテープ貼付器を構成するようにしても良い。
【産業上の利用可能性】
【０１３５】
本発明は、種々の貼付テープを貼り付けるためのテープ貼付器でも利用できる。
【図面の簡単な説明】
【０１３６】
【図１】第１の実施の形態におけるテープ貼付器の構成を示す略線的斜視図である。
【図２】第１の実施の形態において回転軸へ養生テープロールを組み込んだ状態を示す略線的下面図である。
【図３】床面へ養生テープを貼り付ける様子を示した略線的斜視図である。
【図４】養生テープロールの組込方向の説明に供する略線的正面図である。
【図５】（Ａ）は入角へ養生テープを貼り付ける様子を示した略線的斜視図、（Ｂ）はその後側面図である。
【図６】第２の実施の形態におけるテープ貼付器の構成を示す略線的斜視図である。
【図７】第２の実施の形態における回転軸へ養生テープロールを組み込んだ状態を示す略線的下面図である。
【図８】（Ａ）は第２の実施の形態において出角へ養生テープを貼り付ける様子を示した略線的斜視図、（Ｂ）はその後側面図である。
【図９】第３の実施の形態におけるテープ貼付器の構成を示す略線的斜視図である。
【図１０】第３の実施の形態において回転軸へ養生テープロールを組み込んだ状態を示す略線的下面図である。
【図１１】（Ａ）は第３の実施の形態において入角へ養生テープを貼り付ける様子を示した略線的斜視図、（Ｂ）はその後側面図である。
【図１２】第４の実施の形態における貼付補助具の構成を示す略線的斜視図である。
【図１３】第４の実施の形態において養生テープを貼り付ける様子を示す略線的斜視図である。
【図１４】他の実施の形態によるテープ貼付器の構成（１）を示す略線的斜視図である。
【図１５】他の実施の形態によるテープ貼付器の構成（２）を示す略線的斜視図である。
【図１６】他の実施の形態によるテープ貼付器の構成（３）を示す略線的正面図である。
【符号の説明】
【０１３７】
１、１０、２０、３０、４０、５０……テープ貼付器、２、２１、３１、５１……ケース、２Ａ、２１Ａ……左側板、２Ｃ、２１Ｃ、３１Ｃ、５１Ｃ……後面板、２Ｄ、２１Ｄ、３１Ｄ、５１Ｄ……前面板、２Ｃ１、２１Ｃ１、３１Ｃ１……後押付部、２Ｄ１、２１Ｄ１、３１Ｄ１……前押付部、２Ｅ、２１Ｅ、３１Ｅ……回転軸、３……養生テープロール、５……養生テープ、６、７、３２、３３……スペーサ、１１……ガイド板、８、２２、３４……取付ねじ、８Ａ、３４Ａ……当接板、２２Ａ……テープ保持板、３５……アダプタ、４１……スプリング、４２……テープロール支持板、５２、５３……ローラ、６０……右手、９０……貼付補助具、９３……エッジ部。
【図１】
2006214099.tif 000003
【図２】
2006214099.tif 000004
【図３】
2006214099.tif 000005
【図４】
2006214099.tif 000006
【図５】
2006214099.tif 000007
【図６】
2006214099.tif 000008
【図７】
2006214099.tif 000009
【図８】
2006214099.tif 000010
【図９】
2006214099.tif 000011
【図１０】
2006214099.tif 000012
【図１１】
2006214099.tif 000013
【図１２】
2006214099.tif 000014
【図１３】
2006214099.tif 000015
【図１４】
2006214099.tif 000016
【図１５】
2006214099.tif 000017
【図１６】
2006214099.tif 000018